(57)【要約】【課題】不正な解錠を未然に防止すると共に、容易に施錠又は解錠することができる遊技機用の施錠装置を提供することが可能となる。【解決手段】シリンダ鍵４６に挿入した図示しない鍵を時計回りに回動することにより、中間竿５０が上方に移動し、第一外枠鉤３２及び第二外枠鉤３４を外枠施錠位置から外枠解錠位置に移動して外枠１４が解錠する。一方、シリンダ鍵４６に挿入した図示しない鍵を反時計回りに回動することにより、第一前面扉枠鉤３６及び第二前面扉枠鉤３８を解錠する。第一外枠鉤３２が外枠鉤施錠位置に位置決めされた際には、防犯ロック部材６０が外枠鉤解錠位置から外枠鉤施錠位置に移動することにより、第一外枠鉤３２が外枠施錠位置から外枠施錠位置に移動することを規制する。こうすることにより、防犯ロック部材６０を有しない場合と比較して、優れた防犯性を有する。【選択図】図１
2013248230.tif 000002
【特許請求の範囲】
【請求項１】
内枠に対して外枠及び前面扉枠を施錠及び解錠する遊技機用の施錠装置において、
前記内枠に取り付けられる本体部と、
前記本体部に取り付けられ、前記外枠を施錠する外枠施錠位置と前記外枠を解錠する外枠解錠位置との間を移動可能な１又は２以上の外枠鉤と、
前記本体部に取り付けられ、前記前面扉枠を施錠する前面扉枠施錠位置と前記前面扉枠を解錠する前面扉枠解錠位置との間を移動可能な１又は２以上の前面扉枠鉤と、
前記本体部の前記外枠鉤の少なくとも一つと当接可能な位置に取り付けられ、前記外枠鉤が前記外枠施錠位置から前記外枠解除位置に移動する際、前記外枠鉤の一部と当接して前記外枠鉤が前記外枠解除位置に移動することを規制する外枠鉤規制位置と前記外枠鉤が前記外枠解除位置に移動する際に前記外枠鉤の移動を妨げない外枠鉤規制解除位置との間を移動する外枠鉤規制部材と、
前記本体部の一方側又は他方側に移動可能に取り付けられ、一方側に移動するに伴って、外枠規制部材を押圧して前記外枠鉤規制位置から前記外枠鉤規制解除位置に移動すると共に前記外枠鉤を押圧して前記外枠鉤を前記外枠施錠位置から前記外枠解錠位置に移動して前記外枠を解錠し、他方側に移動するに伴って、前記前面扉枠鉤を押圧して前記前面扉枠施錠位置から前記前面扉枠解錠位置に前記前面扉枠鉤を移動する中間竿と、
を備えた、
遊技機用の施錠装置。
【請求項２】
前記外枠鉤は、一方端側に設けられた前記外枠と係合する外枠係合部と、他方端側に設けられた前記外枠鉤規制部材と当接する当接部と、を有し、前記外枠係合部と前記当接部との間の位置を回動軸として前記本体部に回動可能に取り付けられており、
前記外枠鉤規制部材は、前記当接部と当接可能な規制部とが設けられており、
前記外枠鉤規制位置は、前記外枠鉤が前記外枠施錠位置から前記外枠解錠位置に回動する際、前記回動軸を回動軸として回動する前記当接部と前記規制部とが当接し、前記外枠鉤が前記外枠施錠位置から前記外枠解除位置に移動することを規制する位置である、
請求項１に記載の遊技機用の施錠装置。
【請求項３】
前記外枠鉤規制部材は、一端側が前記本体部に回動可能に取り付けられたロック板金と、前記ロック板金に回動可能に取り付けられたロックレバーと、からなり、
前記外枠が前記内枠に閉じられると、前記外枠の一部によって前記ロック板金の他端側が押圧されて回動し、前記ロックレバーが前記外枠鉤規制位置に位置決めされる、
請求項２に記載の遊技機用の施錠装置。
【請求項４】
前記ロックレバーは、前記ロック板金が前記外枠方向に移動することを防止するロック板金規制部を有し、
前記ロック板金は、前記本体部に取り付けられたロック板金付勢部材によって前記本体部に前記ロックレバー規制部と当接する方向に付勢されており、
前記本体部は、前記ロックレバーが前記本体部の外側方向に移動することを防止するロックレバー規制部を有し、
前記ロックレバーは、前記ロック板金の一端側が前記外枠の一部に押圧されると、前記ロック板金の回動に伴って前記ロックレバー規制部と当接する当接位置まで移動し、前記ロック板金付勢部材によって前記ロック板金が前記外枠の方向に回動すると、前記ロック板金と前記ロック板金規制部とが当接した状態で前記外枠の方向に回動する、
請求項３に記載の遊技機用の施錠装置。
【請求項５】
前記規制部は、前記中間竿が前記外枠鉤施錠位置から前記外枠鉤解錠位置に移動する際、前記ロックレバーが前記中間竿によって前記外枠方向に押圧され、前記外枠鉤施錠位置から前記外枠鉤解錠位置に移動し、前記外枠鉤が前記外枠鉤施錠位置から前記外枠鉤解錠位置に移動可能な状態とする、
請求項４に記載の遊技機用の施錠装置。
【請求項６】
前記中間竿は、一端側に前記外枠鉤の一部を押圧可能な外枠鉤押圧部と、前記押圧部よりも突出した突部であって前記ロックレバーを押圧するロックレバー押圧部と、
を備え、
前記中間竿が前記外枠施錠位置から前記外枠解除位置に移動するに伴って、前記外枠鉤押圧部が前記外枠鉤の一部を押圧すると共に、前記ロックレバー押圧部がロックレバーを押圧することで、前記規制部を前記外枠鉤施錠位置から前記外枠鉤規制解除位置に移動させると共に、前記外枠鉤を前記外枠施錠位置から前記外枠解錠位置に移動させ、前記外枠を解錠する、
請求項５に記載の遊技機用の施錠装置。
【請求項７】
一端側が前記前面扉枠鉤に設けられた前面扉枠鉤突部に取り付けられ、他端側が前記規制部に取り付けられ、前記前面扉枠鉤と前記規制部とが互いに近づく方向に付勢する弾性体と、
を備えた、
請求項１〜６のいずれか１項に記載の遊技機用の施錠装置。
【請求項８】
前記外枠鉤は、前記本体部にそれぞれ独立に施錠又は解錠可能な状態で２以上取り付けられており、
全ての前記外枠鉤は、前記中間竿を本体部の一方側に移動することにより、全てが解錠される、
請求項１〜７のいずれか１項に記載の遊技機用の施錠装置。
【請求項９】
前記外枠鉤は、前記本体部にそれぞれ独立に施錠又は解錠可能な状態で、かつ、回動可能に取り付けられており、
前記前面扉枠は、前記本体部にそれぞれ独立に施錠又は解錠が可能な状態で、かつ、前記本体部の長手方向に移動可能に２以上取り付けられている、
請求項８に記載の遊技機用の施錠装置。
【発明の詳細な説明】
【技術分野】
【０００１】
本発明は、遊技機用の施錠装置に関する。
【背景技術】
【０００２】
従来、不正な解錠を防止すると共に、容易に施錠することができる遊技機用の施錠装置が知られている。例えば、本体枠に片開き可能に支持された中枠に固定される取付板と、この取付板に上下方向に摺動可能に配設された中枠施錠杆と、同じく取付板に摺動可能に配設されたガラス枠施錠杆とを備えた遊技機の施錠装置であって、中枠施錠杆には、中枠の施錠時に中枠施錠杆の上下方向の摺動を規制可能なロック板を軸着したうえに、取付板にはロックピンを設け、ロック板にはこのロック板をロックピンにより施錠位置又は解錠位置に維持するためのＺ状溝孔を設けた遊技機用の施錠装置が知られている（特許文献１）。
【先行技術文献】
【特許文献】
【０００３】
【特許文献１】特開２００９−１０１０４８号公報
【発明の概要】
【発明が解決しようとする課題】
【０００４】
しかしながら、こうした遊技機用の施錠装置では、施錠又は解錠する度にロックピンがＺ状溝孔を通過することになるため、施錠又は解錠の回数が増えるにつれてロックピンが摩耗し、耐久性が低減する可能性があるという課題がある。
【０００５】
本発明は、このような課題に鑑みなされたものであり、高い耐久性を有しながら、不正な解錠を防止すると共に、容易に施錠又は解錠することができる遊技機用の施錠装置を提供することを主目的とする。
【課題を解決するための手段】
【０００６】
本発明は、上述の主目的を達成するために以下の手段を採った。
【０００７】
本発明の遊技機用の施錠装置は、
内枠に対して外枠及び前面扉枠を施錠及び解錠する遊技機用の施錠装置において、
前記内枠に取り付けられる本体部と、
前記本体部に取り付けられ、前記外枠を施錠する外枠施錠位置と前記外枠を解錠する外枠解錠位置との間を移動可能な１又は２以上の外枠鉤と、
前記本体部に取り付けられ、前記前面扉枠を施錠する前面扉枠施錠位置と前記前面扉枠を解錠する前面扉枠解錠位置との間を移動可能な１又は２以上の前面扉枠鉤と、
前記本体部の前記外枠鉤の少なくとも一つと当接可能な位置に取り付けられ、前記外枠鉤が前記外枠施錠位置から前記外枠解除位置に移動する際、前記外枠鉤の一部と当接して前記外枠鉤が前記外枠解除位置に移動することを規制する外枠鉤規制位置と前記外枠鉤が前記外枠解除位置に移動する際に前記外枠鉤の移動を妨げない外枠鉤規制解除位置との間を移動する外枠鉤規制部材と、
前記本体部の一方側又は他方側に移動可能に取り付けられ、一方側に移動するに伴って、外枠規制部材を押圧して前記外枠鉤規制位置から前記外枠鉤規制解除位置に移動すると共に前記外枠鉤を押圧して前記外枠鉤を前記外枠施錠位置から前記外枠解錠位置に移動して前記外枠を解錠し、他方側に移動するに伴って、前記前面扉枠鉤を押圧して前記前面扉枠施錠位置から前記前面扉枠解錠位置に前記前面扉枠鉤を移動する中間竿と、
を備えたものである。
【０００８】
この遊技機用の施錠装置は、中間竿を一方側に移動することで本体部に取り付けられた１又は２以上の外枠鉤が外枠施錠位置から外枠解除位置に移動して外枠を解錠し、他方側に移動することで本体部に取り付けられた１又は２以上の前面扉枠鉤が前面扉枠施錠位置から前面扉枠解錠位置に移動して前面扉枠を解錠する。また、この遊技機用の施錠装置には、外枠鉤解錠位置から外枠鉤規制位置に移動することで、外枠鉤の移動を規制する外枠鉤規制部材が設けられており、外枠鉤が外枠施錠位置に位置決めされた際に外枠鉤規制部材を外枠鉤規制位置に位置決めすることにより、外枠鉤の移動を規制して外枠鉤が解錠できない状態とする。こうすることにより、外枠鉤規制部材を有しない場合と比較して、優れた防犯性を有する。また、外枠を解錠する際には、中間竿を一方側に移動することにより、外枠鉤を外枠解錠位置に移動するとともに、外枠鉤規制部材を外枠鉤解錠位置に移動するため、中間竿を一方側に移動するという簡単な操作で、容易に外枠を解錠することができる。付言すると、優れた防犯性を有し、容易に解錠することのできる遊技機用の施錠装置を提供することができる。
【０００９】
本発明の遊技機用の施錠装置において、前記外枠鉤は、一方端側に設けられた前記外枠と係合する外枠係合部と、他方端側に設けられた前記外枠鉤規制部材と当接する当接部と、を有し、前記外枠係合部と前記当接部との間の位置を回動軸として前記本体部に回動可能に取り付けられており、前記外枠鉤規制部材は、前記当接部と当接可能な規制部とが設けられており、前記外枠鉤規制位置は、前記外枠鉤が前記外枠施錠位置から前記外枠解錠位置に回動する際、前記回動軸を回動軸として回動する前記当接部と前記規制部とが当接し、前記外枠鉤が前記外枠施錠位置から前記外枠解除位置に移動することを規制する位置であってもよい。こうすれば、外枠鉤規制部材が外枠鉤規制位置に位置決めされている状態で外枠鉤を回動すると、外枠鉤係合部が外枠鉤の一部と当接して回動を規制し、外枠鉤を外枠解錠位置に回動することができない。言い換えると、外枠鉤規制部材が外枠鉤規制位置に位置決めされている状態では、外枠を解錠することができない。このため、優れた防犯性を有する。
【００１０】
本発明の遊技機用の施錠装置において、前記外枠鉤規制部材は、一端側が前記本体部に回動可能に取り付けられたロック板金と、前記ロック板金に回動可能に取り付けられたロックレバーと、からなり、前記外枠が前記内枠に閉じられると、前記外枠の一部によって前記ロック板金の他端側が押圧されて回動し、前記ロックレバーが前記外枠鉤規制位置に位置決めされてもよい。こうすれば、外枠が内枠に閉じられると、外枠の一部によってロック板金の他端側が押圧されて回動し、同時に制部を有するロックレバーが移動することで、外枠鉤規制部材が外枠鉤規制位置に位置決めされる。言い換えると、外枠を内枠に閉じる際に外枠鉤規制部材が外枠鉤規制位置に移動する。このため、外枠鉤規制部材を外枠鉤規制位置に改めて移動する必要が無いため、外枠を施錠する際の労力を低減することができる。
【００１１】
本発明の遊技機用の施錠装置において、前記ロックレバーは、前記ロック板金が前記外枠方向に移動することを防止するロック板金規制部を有し、前記ロック板金は、前記本体部に取り付けられたロック板金付勢部材によって前記本体部に前記ロックレバー規制部と当接する方向に付勢されており、前記本体部は、前記ロックレバーが前記本体部の外側方向に移動することを防止するロックレバー規制部を有し、前記ロックレバーは、前記ロック板金の一端側が前記外枠の一部に押圧されると、前記ロック板金の回動に伴って前記ロックレバー規制部と当接する当接位置まで移動し、前記ロック板金付勢部材によって前記ロック板金が前記外枠の方向に回動すると、前記ロック板金と前記ロック板金規制部とが当接した状態で前記外枠の方向に回動してもよい。こうすれば、ロック板金の一端側が外枠の一部に押圧されてロック板金が外枠鉤規制解除位置から外枠鉤規制位置に回動する際に、ロック板金の回動に伴ってロックレバー規制部とロックレバーとが当接するまでロックレバーが回動し、外枠鉤規制部材が外枠鉤規制位置に位置決めされる。このように、ロックレバー規制部を設けることにより、確実に外枠鉤規制位置に位置決めすることができる。また、ロック板金はロック板金付勢部材によってロックレバー規制部材と当接する方向に付勢されているため、ロック板金付勢部材の付勢力によってロック板金が回動するにともなってロックレバーも回動し、外枠の一部で押圧されていない状態では、外枠鉤規制部材が外枠鉤解錠位置に位置決めされることになる。このため、外枠を内枠から外すことにより、外枠鉤規制部材が外枠鉤規制解除位置に位置決めされることになるため、開閉操作時の労力を低減しつつ、優れた防犯性を有する。
【００１２】
本発明の遊技機用の施錠装置において、前記規制部は、前記中間竿が前記外枠鉤施錠位置から前記外枠鉤解錠位置に移動する際、前記ロックレバーが前記中間竿によって前記外枠方向に押圧され、前記外枠鉤施錠位置から前記外枠鉤解錠位置に移動し、前記外枠鉤が前記外枠鉤施錠位置から前記外枠鉤解錠位置に移動可能な状態としてもよい。こうすれば、中間竿を一方側に移動することで、外枠鉤が外枠施錠位置から外枠解錠位置に移動すると共に、外枠鉤規制部材が外枠鉤施錠位置から外枠鉤解錠位置に移動して、外枠鉤が解錠可能な状態となる。言い換えると、中間竿を用いた場合には、中間竿を一方側に移動するという単一の操作で外枠鉤を解錠することができるため、解錠時の労力を低減すると共に、優れた防犯性を有する。
【００１３】
本発明の遊技機用の施錠装置において、前記中間竿は、一端側に前記外枠鉤の一部を押圧可能な外枠鉤押圧部と、前記押圧部よりも突出した突部であって前記ロックレバーを押圧するロックレバー押圧部と、を備え、前記中間竿が前記外枠施錠位置から前記外枠解除位置に移動するに伴って、前記外枠鉤押圧部が前記外枠鉤の一部を押圧すると共に、前記ロックレバー押圧部がロックレバーを押圧することで、前記規制部を前記外枠鉤施錠位置から前記外枠鉤規制解除位置に移動させると共に、前記外枠鉤を前記外枠施錠位置から前記外枠解錠位置に移動させ、前記外枠を解錠してもよい。こうすれば、中間竿を移動するに伴って外枠鉤と外枠鉤規制部材のロックレバーとの両方を押圧することができるため、外枠鉤と外枠鉤規制部材との両方を回動させることができる。このため、外枠鉤とロックレバーとを別々に回動する場合と比較して、回動時の労力を低減することができる。
【００１４】
本発明の遊技機用の施錠装置は、一端側が前記前面扉枠鉤に設けられた前面扉枠鉤突部に取り付けられ、他端側が前記規制部に取り付けられ、前記前面扉枠鉤と前記規制部とが互いに近づく方向に付勢する弾性体と、を備えていてもよい。こうすれば、一つの弾性体で外枠鉤を外枠鉤施錠位置に位置決めすると共に、前面扉枠鉤を前面扉枠鉤施錠位置に位置決めすることができるため、それぞれ位置決めする場合と比較して、部品点数を減少させ、作製時の労力を低減することができる。
【００１５】
本発明の遊技機用の施錠装置において、前記外枠鉤は、前記本体部にそれぞれ独立に施錠又は解錠可能な状態で２以上取り付けられており、全ての前記外枠鉤は、前記中間竿を本体部の一方側に移動することにより、全てが解錠されてもよい。こうすれば、中間竿以外の手段を用いて外枠鉤を解錠しようとしても、２以上の外枠鉤のそれぞれを移動する必要があるため、外枠鉤が一つの場合や複数の外枠鉤が連動して解錠する場合と比較して、より不正な手段を用いて解錠されにくい。一方で、正しい手段を用いて外枠鉤を解錠する場合には、複数の外枠鉤を中間竿で同時に移動することができるため、複数の外枠鉤を一つ一つ移動する場合と比較して、より施錠時の労力を低減することができる。
【００１６】
本発明の遊技機用の施錠装置において、前記外枠鉤は、前記本体部にそれぞれ独立に施錠又は解錠可能な状態で、かつ、回動可能に取り付けられており、前記前面扉枠は、前記本体部にそれぞれ独立に施錠又は解錠が可能な状態で、かつ、前記本体部の長手方向に移動可能に２以上取り付けられていてもよい。こうすれば、外枠を施錠する外枠鉤と前面扉を施錠する前面扉枠鉤の施錠及び解錠方法が異なるため、同一の場合と比較して、より優れた防犯性を有する。
【図面の簡単な説明】
【００１７】
【図１】施錠装置２０の構成の概略を示す斜視図である。
【図２】施錠装置２０の取り付け位置を示す部分側面図である。
【図３】施錠装置２０の構成の概略を示す分解斜視図である。
【図４】施錠装置２０の構成の概略を示す部分拡大斜視図である。
【図５】防犯ロック部材６０の位置を説明するための部分拡大図であり、図５（Ａ）は、防犯ロック部材６０が外枠１４に押圧されていない状態を、図５（Ｂ）は、防犯ロック部材６０が外枠鉤施錠位置に位置する状態を、それぞれ示している。
【図６】第一外枠鉤３２が外枠施錠位置に位置する状態を示す部分拡大図である。
【図７】第一外枠鉤３２が外枠施錠位置と外枠解錠位置との間に位置する状態を示す部分拡大図である。
【図８】第一外枠鉤３２が外枠解錠位置に位置する状態を示す部分拡大図である。
【図９】第一外枠鉤３２を不正に解錠しようとした際の第一外枠鉤３２の状態を示す部分拡大図である。
【図１０】第一前面扉枠鉤３６の動きを説明するための部分拡大図であり、図１０（Ａ）は、第一前面扉枠鉤３６が前面扉枠施錠位置に位置する状態を、図１０（Ｂ）は、第一前面扉枠鉤３６が前面扉枠解錠位置に位置する状態を、それぞれ示している。
【発明を実施するための形態】
【００１８】
ここで、上記簡単に説明した図面に基づいて、本発明を実施するための形態を説明するにあたり、本実施の形態の構成要素と本発明の構成要素との対応関係を明らかにする。本実施の形態の施錠装置２０が施錠装置に相当し、内枠１２が内枠に相当し、外枠１４が外枠に相当し、前面扉枠１６が前面扉枠に相当し、第一外枠鉤３２及び第二外枠鉤３４が外枠鉤に相当し、ばね止め部３２ａ及びばね止め部３４ａが当接部に相当し、鉤部３２ｂ及び鉤部３４ｂが外枠係合部に相当し、第一前面扉枠鉤３６及び第二前面扉枠鉤３８が前面扉枠鉤に相当し、本体部３０が本体部に相当し、規制突部３１が主部規制部に相当し、防犯ロック部材６０が外枠鉤規制部材に相当し、防犯ロックレバー６２がロックレバーに相当し、カバー６２ａが押圧部に相当し、付勢ばね６３が主部付勢部材に相当し、防犯ロック板金６４がロック板金に相当し、係合部６４ｂが規制部材に相当し、ローラー６４ａが被押圧部に相当し、突出部６４ｃが突出部に相当し、中間竿５０が中間竿に相当し、先端部５３が外枠鉤押圧部に相当し、突出部５２が副部押圧部に相当し、第一ばね４０が弾性体に、それぞれ相当する。なお、施錠装置２０の施錠又は解錠方法を説明することにより、本発明の施錠装置の使用方法の一例も明らかにしている。
【００１９】
次に、図１〜図４を用いて、本発明の実施の形態の一例である施錠装置２０の構成を詳しく説明する。この施錠装置２０は、遊技機の内枠１２に取り付けられており、パチンコホール等の島に取り付けられる外枠１４と、内枠１２に図示しない蝶番で開閉可能に軸視される前面扉枠を施錠又は解錠するものであり、図１に示すように、本体部３０に、外枠１４（図２参照）を施錠又は解錠する第一外枠鉤３２及び第二外枠鉤３４と、前面扉枠１６（図２参照）を施錠又は解錠する第一前面扉枠鉤３６及び第二前面扉枠鉤３８と、第一外枠鉤３２の移動を規制する防犯ロック部材６０と、本体部３０に取り付けられた複数の鉤部材等を操作する中間竿５０と、を備えている。なお、以下の説明において、内枠１２を基準として、前面扉枠１６が取り付けられている方向を正面方向、外枠１４が取り付けられている方向を背面方向として説明する。
【００２０】
本体部３０は、図３に示すように、正面方向にシリンダ鍵４６が設けられた金属製の部材である。このシリンダ鍵４６には第一カム４８ａ及び第二カム４８ｂ（以下、「カム４８」とも言う。）が連接されており、シリンダ鍵４６に図示しない鍵を挿入して回動するとシリンダ鍵４６の回動に伴ってカム４８が回動する。この本体部３０は、図２に示すように、内枠１２の側面に取り付けられ、正面方向側に前面扉枠１６が、背面方向側に外枠１４が、それぞれ施錠又は解錠可能に取り付けられる。
【００２１】
第一外枠鉤３２は、図３に示すように、板状の鉤部材であり、一面方向に突出し第一ばね４０が取り付けられたばね止め部３２ａと、外枠１４と係合して外枠１４を施錠する鉤部３２ｂと、を有している。この第一外枠鉤３２は、鉤部３２ｂが反時計回りに回動可能な状態で本体部３０に取り付けられており、第一ばね４０によってばね止め部３２ａが下方向に付勢されている。このため、外から力が加えられていない状態では、外枠施錠位置に位置決めされ、第二外枠鉤３４と共に外枠１４を施錠する。
【００２２】
第一前面扉枠鉤３６は、図３に示すように、本体部３０に上下方向に往復移動可能に取り付けられた板状の鉤部材であり、正面方向に突出して第一ばね４０が取り付けられたばね止め部３６ａと、前面扉枠１６と係合して前面扉枠１６を施錠する鉤部３６ｂと、上方端部に設けられ一面方向に突出する係合部３６ｃと、を有している。この第一前面扉枠鉤３６は、第一ばね４０によって上方向に付勢されているため、外から力が加えられていない状態では、鉤部３６ｂが上方に位置する前面扉枠施錠位置に位置決めされ、第二前面扉枠鉤３８と共に前面扉枠１６を施錠する。
【００２３】
第二外枠鉤３４は、図３に示すように、板状の鍵部材であり、一面方向に突出し第三ばね４４が取り付けられたばね止め部３４ａと、外枠１４と係合して外枠１４を施錠する鉤部３４ｂと、を有している。この第二外枠鉤３４は、鉤部３４ｂが反時計回りに回動可能な状態で本体部３０に取り付けられており、第三ばね４４によってばね止め部３４ａが下方向に付勢されている。このため、外から力が加えられていない状態では、鉤部３４ｂが上方に位置する外枠施錠位置に位置決めされ、第一外枠鉤３２と共に外枠１４を施錠する。
【００２４】
第二前面扉枠鉤３８は、図３に示すように、本体部３０に上下方向に揺動可能に取り付けられた板状の鉤部材であり、一面方向に突出し第二ばね４２が取り付けられたばね止め部３８ａと、前面扉枠１６と係合して前面扉枠１６を施錠する鉤部３８ｂと、上方端部に設けられ一面方向に突出する係合部３８ｃと、有している。この第二前面扉枠鉤３８は、第二ばね４２によって上方向に付勢されているため、外から力が加えられていない状態では、鉤部３６ｂが上方に位置する前面扉枠施錠位置に位置決めされ、第一前面扉枠鉤３６と共に前面扉枠１６を施錠する。
【００２５】
中間竿５０は、図３に示すように、本体部３０の中央部に上下方向に往復移動可能に取り付けられた長尺形状の部材である。この中間竿５０の上方側の端部には、中間竿５０が上方向に往復移動した際にばね止め部３２ａの下面を押圧する先端部５３と、先端部５３よりも更に上方に突出する突出部５２と、を有している。また、中間竿５０には、上方端側から下方端側に向かって、係合部３６ｃの上面と係合する第一貫通孔５５ａと、第一前面扉枠鉤３６及び中間竿５０を往復移動可能に取り付ける固定ネジ５６ａが貫通する第二貫通孔５５ｂと、係合部３８ｃの上面と係合する第三貫通孔５５ｃと、第二前面扉枠鉤３８及び中間竿５０を往復移動可能に取り付ける固定ネジ５６ｂが貫通する第四貫通孔５５ｄと、第一カム４８ａ及び第二カム４８ｂとそれぞれ係合するカム係合孔５４ａ及びカム係合孔５４ｂ（以下、「カム係合孔５４」とも言う。）と、第二外枠鉤３４に設けられたばね止め部３４ａの上面と係合する第五貫通孔５５ｅと、が設けられている。このため、中間竿５０を上方に移動すると、第一外枠鉤３２及び第二外枠鉤３４を解錠して外枠１４を解錠し、中間杆５０を下方に移動すると、第一前面扉枠鉤３６及び第二前面扉枠鉤３８を解錠して前面扉枠１６を解錠することができる。
【００２６】
防犯ロック部材６０は、図２に示すように、本体部３０の上方側に回動可能に取り付けられた防犯ロック板金６４と、防犯ロック板金６４にロックビス６６によって回動可能に取り付けられた防犯ロックレバー６２と、の二つの部材が組み合わさってなるものである。
【００２７】
防犯ロックレバー６２は、図４に示すように、略くの字形状の板状に形成された金属製の部材であり、背面方向側は、表面が滑らかな曲面で略半円形状に形成された樹脂製のカバー６２ａで覆われており、正面方向側はロックビス６６によって防犯ロック板金６４に回動可能に取り付けられている。また、一方端側と他方端側との間の位置には、付勢ばね取り付け孔６２ｂが設けられており、付勢ばね取り付け孔６２ｂに取り付けられた付勢ばね６３によって、防犯ロックレバー６２は、本体部３０に上方向に付勢されている。このため、防犯ロックレバー６２は、カバー６２ａを押圧するとロックビス６６を回動中心に反時計回りに回動し、カバー６２ａを開放すると、付勢力によって時計回りに回動する。
【００２８】
防犯ロック板金６４は、図４に示すように、金属製の板状部材であり、一端側で本体部３０に回動可能に取り付けられている。この防犯ロック板金６４の他端側には第一外枠鉤３２のばね止め部３２ａの上面と係合して第一外枠鉤３２の回動を規制する係合部６４ｂが設けられており、一端側と他端側との間には突出部５２の表面に沿って回転するローラー６４ａが設けられている。また、ローラー６４ａと係合部６４ｂとの間には、防犯ロックレバー６２の方向（一面方向）に突出する突出部６４ｃが設けられている。このため、カバー６２ａが押圧されて防犯ロックレバー６２が反時計回りに回動すると、防犯ロックレバー６２の回動に伴って防犯ロック板金６４も反時計回りに回動する。一方、カバー６２ａが開放されて防犯ロックレバー６２が時計回りに回動すると、突出部６４ｃと防犯ロックレバーの側面とが当接し、防犯ロックレバー６２の回動に伴って防犯ロック板金６４も回動する。
【００２９】
次に、こうして構成された本実施の形態の施錠装置２０の使用方法について説明する。この施錠装置２０が外枠１４及び前面扉枠１６のいずれも施錠していない場合には、図５（Ａ）に示すように、第一外枠鉤３２が外枠施錠位置に、第一前面扉枠鉤３６が前面扉枠施錠位置に、それぞれ第一ばね４０によって付勢された状態で位置決めされている。この状態では、防犯ロック部材６０が外枠鉤施錠位置に位置決めされていないため、第一外枠鉤３２の回動が防犯ロック部材６０によって規制されることはなく、自由に回動することができる。この状態で外枠１４を内枠１２に閉じると、図５（Ｂ）に示すように、外枠１４によってカバー６２ａが図中右方向に押圧され、防犯ロックレバー６２が反時計回りに回動する。この回動に伴って防犯ロック板金６４が反時計回りに回動し、防犯ロック部材６０が外枠鉤施錠位置に位置決めされる。この状態で第一外枠鉤３２を反時計回りに回動しようとしても、係合部６４ｂがばね止め部３２ａの上面と当接するため、第一外枠鉤３２を回動することができない。このため、防犯ロック部材６０を有しない場合と比較して、優れた防犯性を有する。
【００３０】
このように内枠１２に取り付けられた施錠装置２０の動作について概説すると、シリンダ鍵４６に図示しない鍵を挿入した状態で時計回りに回動すると、カム４８が時計回りに回動し、中間竿５０が上方に移動する。こうすることにより、防犯ロック部材６０が外枠鉤解錠位置に移動すると共に、第一外枠鉤３２及び第二外枠鉤３４が回動して外枠１４が解錠される。一方、図示しない鍵を反時計回りに回動すると、カム４８が反時計回りに回動し、中間竿５０が下方に移動する。こうすることにより、第一前面扉枠鉤３６及び第二前面扉枠鉤３８が下方向に移動し、前面扉枠１６が解錠される。また、いずれの方向にも回転させていない状態では、外枠１４及び前面扉枠１６の両方が施錠される。
【００３１】
ここでは、まず外枠１４を解錠する外枠解錠操作について図６〜図８を用いて詳しく説明する。ここで、図６は、第一外枠鉤３２が外枠施錠位置に位置する状態を示す部分拡大図であり、図７は、第一外枠鉤３２が外枠施錠位置と外枠解錠位置との間に位置する状態を示す部分拡大図であり、図８は、第一外枠鉤３２が外枠解錠位置に位置する状態を示す部分拡大図である。施錠装置２０を用いて外枠１４を解錠する際には、シリンダ鍵４６に図示しない鍵を挿入した状態で時計回りに回動する。こうすると、カム４８が時計回りに回動し、中間竿５０が上方に移動する。こうすることにより、防犯ロック部材６０が外枠鉤解錠位置に移動すると共に、第一外枠鉤３２及び第二外枠鉤３４が回動して外枠１４が解錠される。これらの移動は中間竿５０の移動に伴って全て同時に行われるが、ここでは、防犯ロック部材６０が外枠鉤施錠位置から外枠鉤解錠位置に移動する動作を説明した後に、第一外枠鉤３２が外枠施錠位置から外枠解錠位置に移動する動作を説明し、最後の第二外枠鉤３４が外枠施錠位置から外枠解錠位置に移動する動作を説明する。
【００３２】
具体的には、シリンダ鍵４６に図示しない鍵を挿入した状態で時計回り方向に回動する。こうすると、カム４８が時計回り方向に回動して第二カム４８ｂとカム係合孔５４ｂとが係合し、中間竿５０が上方向に移動する。中間竿５０が上方に移動すると、図６に示すように、中間竿５０の一端側に設けられた突出部５２及び先端部５３も同時に上方に移動する。このとき、突出部５２の移動に伴い、突出部５２の傾斜に沿って押圧される形でローラー６４ａが回転しつつ、左方向に移動する。こうすることにより、ローラー６４ａを有する防犯ロック板金６４が外枠鉤規制解除位置に移動し、第一外枠鉤３２が回動可能な状態となる。
【００３３】
また、中間竿５０が上方向に移動するに伴い、図７に示すように、先端部５３によってばね止め部３２ａの下面が押圧され、第一外枠鉤３２が反時計回りに回動する。この状態では、ばね止め部３２ａが回動する際に移動する軌道上に係合部６４ｂが位置しないため、第一外枠鉤３２は反時計回りに回動することができ、外枠解錠位置に移動することができる。また、突出部５２の傾斜に沿ってローラー６４ａが回転しながら押圧されるため、ローラー６４ａが回転しない場合と比較して、ローラー６４ａと突出部５２との当接面における摩擦及び摩耗を低減することができ、高い耐久性と中間竿５０のスムーズな移動を可能にする。
【００３４】
一方、第二外枠鉤３４は、中間竿５０が上方向に移動すると、中間竿５０の移動に伴って第五貫通孔５５ｅが上方向に移動する。このとき、第五貫通孔５５ｅの下面は第二外枠鉤３４に設けられたばね止め部３４ａの下面と係合しているため、中間竿５０の移動に伴って、ばね止め部３４ａは上方向に押圧される。このとき、第二外枠鉤３４は、本体部３０に回動可能に取り付けられているため、中間竿５０の移動に伴って反時計回りに回動し、外枠施錠位置から外枠解錠位置に移動する。
【００３５】
このように、中間竿５０を上方向に移動することにより、第一外枠鉤３２及び第二外枠鉤３４の両方が外枠施錠位置から外枠解錠位置に移動し、図８に示すように、外枠１４が解錠する。こうすることにより、シリンダ鍵４６に図示しない鍵を挿入した状態で時計回り方向に回転するという簡単な操作で、外枠１４を解錠することができる。
【００３６】
ここで、中間竿５０を使用せずに外枠１４を解錠しようとした場合、例えば、内枠１２と外枠１４との間に針金等を挿入すること等の方法により第一外枠鉤３２を反時計回りに回動し、第一外枠鉤３２を解錠する場合について図９を用いて説明する。外枠１４が施錠装置２０によって施錠されると、図９（Ａ）に示すように、第一外枠鉤３２が外枠施錠位置に位置決めされ、防犯ロック部材６０が外枠鉤施錠位置に位置決めされる。この状態で、例えば、内枠１２と外枠１４との間に針金等を挿入すること等の方法により第一外枠鉤３２を直接押圧して反時計回りに回動し、第一外枠鉤３２を外枠解錠位置に移動しようとすると、図９（Ｂ）に示すように、ばね止め部３２ａの上面が係合部６４ｂに当接し、第一外枠鉤３２の回動が規制されて、第一外枠鉤３２が反時計回りに回動することができない。このため、優れた防犯性を有する。なお、仮に第二外枠鉤３４を不正な手段を用いて解錠したとしても、第一外枠鉤３２及び第二外枠鉤３４の両方を解錠して初めて外枠１４が解錠されるため、第一外枠鉤３２が解錠されない限り、外枠１４が解錠されることは無い。
【００３７】
以上のように、中間竿５０を用いることなく、第一外枠鉤３２を回動しようとしても、防犯ロック部材６０によって第一外枠鉤３２の回動が規制されるため、防犯ロック部材６０を有しない場合と比較して、優れた防犯性を有する。また、第一外枠鉤３２及び第二外枠鉤３４の施錠又は解錠においては、第一外枠鉤３２と第二外枠鉤３４との間で何ら連動性を有していないため、仮に第二外枠鉤３４が解錠されたとしても、第一外枠鉤３２が解錠されることは無い。このため、第一外枠鉤３２と第二外枠鉤３４の施錠又は解錠が連動している場合と比較して、優れた防犯性を有する。
【００３８】
続いて、外枠１４を施錠する外枠施錠操作について、説明する。施錠装置２０を用いて外枠１４を施錠する際には、外枠解錠操作で上方向に移動した中間竿５０を開放すれば良い。こうすれば、中間竿５０がシリンダ鍵４６を回動する前の状態に戻り、外枠１４が施錠される。具体的には、中間竿５０を開放すると、第一ばね４０の付勢力によってばね止め部３２ａが下方向に付勢され、第一外枠鉤３２が時計回りに回動して外枠鉤解錠位置から外枠鉤施錠位置に移動する。このとき、ばね止め部３２ａの下面が中間竿５０の先端部５３を下方向に押圧する。同時に、第三ばね４８の付勢力によってばね止め部３４ａが下方向に付勢され、第二外枠鉤３４が時計回りに回動して第二外枠鉤３４が外枠鉤解錠位置から外枠鉤施錠位置に移動する。このとき、ばね止め部３４ａの下面が中間竿５０の第五貫通孔５５ｅの下方側の側面を下方向に押圧する。このため、第一ばね４０及び第三ばね４８の付勢力により、中間竿５０が下方向に移動する。
【００３９】
このとき、中間竿５０が下方向に移動すると、ローラー６４ａを押圧する突出部５２も下方向に移動するため、ローラー６４ａが開放され、防犯ロック板金６４が右方向に移動可能な状態となる。このとき、外枠１４の一部によってカバー６２ａが右方向に押圧された防犯ロックレバー６２が反時計回りに回動するに伴って、防犯ロック板金６４が右方向に移動し、外枠鉤解錠位置から外枠鉤施錠位置に移動する。このように、中間竿５０を開放することにより、容易に外枠１４を施錠することができる。なお、本体部３０には規制突部３１が設けられているため、防犯ロック板金６４が外枠鉤施錠位置よりも右方向に移動することを防ぎ、外枠鉤施錠位置に容易に位置決めすることができる。
【００４０】
次に、前面扉枠１６を解錠する前面扉枠解錠操作について、図１０を用いて詳しく説明する。ここで、図１０は、前面扉枠１６の解錠操作を説明するための部分拡大図であり、図１０（Ａ）は前面扉枠１６が施錠されている状態を、図１０（Ｂ）は、前面扉枠１６が解錠されている状態を、それぞれ示している。施錠装置２０を用いて前面扉枠１６を解錠する際には、図示しない鍵を反時計回りに回動する。こうすると、カム４８が反時計回りに回動し、中間竿５０が下方に移動する。こうすることにより、第一前面扉枠鉤３６及び第二前面扉枠鉤３８が下方向に移動し、前面扉枠１６が解錠される。具体的には、シリンダ鍵４６に図示しない鍵を挿入した状態で反時計回り方向に回転する。こうすると、カム４８が反時計回りに回動して第一カム４８ａとカム係合孔５４ａとが係合し、中間竿５０が下方向に移動する。中間竿５０が下方向に移動すると、中間竿５０に設けられた第一貫通孔５５ａ（図３参照）も同時に下方に移動する。このとき、第一貫通孔５５ａの上方側の側面にばね止め部３６ａの上面が下方に押圧され、第一前面扉枠鉤３６が下方に移動する。こうすることにより、第一前面扉枠鉤３６が前面扉枠施錠位置から前面扉枠解錠位置に移動し、前面扉枠１６を解錠することができる。このように、シリンダ鍵４６に図示しない鍵を挿入した状態で反時計回り方向に回転するという簡単な操作で、前面扉枠１６を解錠することができる。
【００４１】
続いて、前面扉枠１６を施錠する前面扉枠施錠操作について説明する。施錠装置２０を用いて前面扉枠１６を施錠する際には、前面扉枠解錠操作で下方向に移動した中間竿５０を開放すれば良い。こうすれば、中間竿５０がシリンダ鍵４６を解錠する前の状態に戻り、前面扉枠１６が施錠される。具体的には、中間竿５０を開放すると、第一ばね４０付勢力によってばね止め部３６ａが上方向に付勢され、第一前面扉枠鉤３６が上方向に移動して前面扉枠解錠位置から前面扉枠施錠位置に移動する。このとき、ばね止め部３６ａの上面が中間竿５０の第二貫通孔５５ｂの上方側の側面を上方向に押圧する。このとき、ばね止め部３８ａの上面が中間竿５０の第三貫通孔５５ｃの上方側の側面を上方向に押圧する。このため、第一ばね４０及び第二ばね４２の付勢力により、中間竿５０が上方向に移動する。このように、中間竿５０を開放することにより、容易に前面扉枠１６を施錠することができる。
【００４２】
なお、第二前面扉枠鉤３８についても、第一前面扉枠鉤３６と同様に解錠及び施錠する。すなわち、前面扉枠解錠操作においては、中間竿５０が下方向に移動すると、中間竿５０の第三貫通孔５５ｃも同時に下方に移動する。このとき、第三貫通孔５５ｃの上方側の側面にばね止め部３８ａの上面が下方に押圧され、第二前面扉枠鉤３８が下方に移動する。こうすることにより、第二前面扉枠鉤３８が前面扉枠施錠位置から前面扉枠解錠位置に移動し、前面扉枠１６を解錠する。一方、前面扉枠１６を施錠する際は、中間竿５０が開放されると、第二ばね４２の付勢力によってばね止め部３６ａが上方向に付勢され、第二前面扉枠鉤３８が上方向に移動して前面扉枠解錠位置から前面扉枠施錠位置に移動することで、前面扉枠１６を施錠することができる。
【００４３】
以上詳述した本実施の形態の施錠装置２０によれば、シリンダ鍵４６に挿入した図示しない鍵を時計回りに回動することにより、中間竿５０が上方に移動し、第一外枠鉤３２及び第二外枠鉤３４を外枠施錠位置から外枠解錠位置に移動して外枠１４が解錠する。一方、シリンダ鍵４６に挿入した図示しない鍵を反時計回りに回動することにより、第一前面扉枠鉤３６及び第二前面扉枠鉤３８を解錠する。第一外枠鉤３２が外枠鉤施錠位置に位置決めされた際には、防犯ロック部材６０が外枠鉤解錠位置から外枠鉤施錠位置に移動することにより、第一外枠鉤３２が外枠施錠位置から外枠施錠位置に移動することを規制する。こうすることにより、防犯ロック部材６０を有しない場合と比較して、優れた防犯性を有する。一方、外枠１４を解錠する際には、中間竿５０を上方に移動することにより、防犯ロック部材６０が外枠鉤規制解除位置に移動すると共に第一外枠鉤３２が外枠解除位置に移動するため、容易に外枠１４を解錠することができる。付言すると、優れた防犯性と容易な操作性の双方の機能を有する。
【００４４】
また、防犯ロック部材６０が外枠鉤施錠位置に位置する際に第一外枠鉤３２を解錠しようとすると、係合部６４ｂがばね止め部３６ａの上面と当接し、第一外枠鉤３２が外枠施錠位置から外枠解錠位置に移動することを規制するため、優れた防犯性を有する。
【００４５】
更に、防犯ロック部材６０は、防犯ロックレバー６２と防犯ロック板金６４とからなり、外枠１４と内枠１２とが閉じた状態になると、外枠１４の一部によってカバー６２ａが押圧されて防犯ロックレバー６２が回動し、防犯ロック板金６４の係合部６４ｂを外枠鉤規制位置に位置決めするため、優れた防犯性を有しながら、容易に外枠１４を施錠することができる。
【００４６】
更にまた、防犯ロック板金６４には突出部６４ｃが設けられており、防犯ロックレバー６２は付勢ばね６３によって突出部６４ｃと当接する方向に付勢されており、防犯ロック板金６４の回動を規制する規制突部３１が設けられているため、外枠１４と内枠１２とが閉じた状態でカバー６２ａが押圧された際に、防犯ロック板金６４が規制突部３１によって外枠鉤規制位置に位置決めされる。こうすることにより、外枠１４を内枠１２に閉じるという簡単な操作で、防犯ロック部材６０を容易に外枠鉤規制位置に位置決めすることができる。
【００４７】
そして、中間竿５０が上方向に移動するに伴って、突出部５２が防犯ロック板金６４を外枠鉤施錠位置から外枠鉤解錠位置に移動すると共に、先端部５３がばね止め部３２ａの下面を押圧することで第一外枠鉤３２が反時計回りに回動し、外枠施錠位置から外枠解錠位置に移動する。こうすることにより、中間竿５０を移動するという一つの操作で、外枠１４を容易に解錠することができる。
【００４８】
そしてまた、第一外枠鉤３２と第一前面扉枠鉤３６とは、第一ばね４０によってそれぞれ外枠解錠位置から外枠施錠位置の方向及び前面扉枠解錠位置から前面扉枠施錠位置の方向に付勢されているため、第一外枠鉤３２又は第一前面扉枠鉤３６は、第一ばね４０の付勢力によって施錠される。こうすることにより、より容易に外枠１４又は前面扉枠１６を施錠することができる。
【００４９】
そして更に、第一外枠鉤３２及び第二外枠鉤３４は、それぞれ独立に施錠又は解錠が可能であるため、仮に不正な手段を用いていずれか一方が解錠されたとしても、同時に他方が解錠されることは無い。このため、優れた防犯性を有する。一方、鍵を用いて解錠する際には、中間竿５０の移動によって第一外枠鉤３２及び第二外枠鉤３４の両方が同時に解錠されるため、一つ一つ解錠する場合と比較して、より容易に解錠することができる。言い換えると、解錠しやすく防犯性に優れた施錠装置を提供することができる。
【００５０】
そして更にまた、第一外枠鉤３２及び第二外枠鉤３４は、本体部３０に回動可能に取り付けられており、第一前面扉枠鉤３６及び第二前面扉枠鉤３８は中間竿５０と同様の方向に移動可能に取り付けられているため、第一外枠鉤３２及び第二外枠鉤３４の解錠の動きと、第一前面扉枠鉤３６及び第二前面扉枠鉤３８の解錠の動きとが異なり、同一の場合と比較して、より優れた防犯性を有する。
【００５１】
なお、本発明は上述した実施形態に何ら限定されることはなく、本発明の技術的範囲に属する限り種々の態様で実施し得ることはいうまでもない。
【００５２】
例えば、上述した実施の形態では、第一前面扉枠鉤３６及び第二前面扉枠鉤３８が中間竿５０の移動に伴って中間杆５０と同じ方向に移動するものとしたが、中間杆５０の移動に伴って回動しても良い。また、第一外枠鉤３２及び第二外枠鉤３４が中間竿５０の移動に伴って回動するものとしたが、中間杆５０の移動に伴って中間杆５０と同じ方向に移動するものとしてもよい。このように、鉤部材の動きを異ならせることにより、全てが同一の動きの場合と比較して、より防犯性を高めることができる。なお、全ての鉤部材を同様の動きにしても良いし、異なる動きにしても良い。いずれの場合であっても、上述した実施の形態と同様の効果が得られる。
【００５３】
上述した実施の形態では、ローラー６４ａを有するものとしたが、突出部５２が押圧した状態で移動可能なものであれば、必ずしもローラー６４ａを用いる必要は無い。この場合も上述した実施の形態と同様の効果が得られる。このとき、突出部５２との間で摩擦係数の少ない部材であることが好ましい。こうすることにより、中間竿５０の動きをスムーズとし、突出部５２の摩耗を低減することができる。
【００５４】
上述した嫉視の携帯では、カバー６２ａを有するものとしたが、カバー６２ａは無くとも良い。この場合も、上述した実施の形態と同様の効果が得られる。
【産業上の利用可能性】
【００５５】
上述した実施の形態で示すように、施錠装置分野、特に、遊技機の施錠装置として利用することができる。
【符号の説明】
【００５６】
１２...内枠、１４...外枠、１６...前面扉枠、２０...施錠装置、３０...本体部、３１...規制突部、３２...第一外枠鉤、３２ａ...ばね止め部、３２ｂ...鉤部、３４...第二外枠鉤、３４ａ...ばね止め部、３４ｂ...鉤部、３６...第一前面扉枠鉤、３６ａ...ばね止め部、３６ｂ...鉤部、３６ｃ...係合部、３８...第二前面扉枠鉤、３８ａ...ばね止め部、３８ｂ...鉤部、３８ｃ...係合部、４０...第一ばね、４２...第二ばね、４３...第三ばね、４６...シリンダ鍵、４８...カム、４８ａ...第一カム、４８ｂ...第二カム、５０...中間竿、５２...突出部、５３...先端部、５４...カム係合孔、５４ａ...カム係合孔、５４ｂ...カム係合孔、５５ａ...第一貫通孔、５５ｂ...第二貫通孔、５５ｃ...第三貫通孔、５５ｄ...第四貫通孔、５５ｅ...第五貫通孔、５６ａ...固定ネジ、５６ｂ...固定ネジ、６０...防犯ロック部材、６２...防犯ロックレバー、６２ａ...カバー、６２ｂ...取り付け孔、６３...付勢ばね、６４...防犯ロック板金、６４ａ...ローラー、６４ｂ...係合部、６４ｃ...突出部、６６...ロックビス。
【図１】
2013248230.tif 000003
【図２】
2013248230.tif 000004
【図３】
2013248230.tif 000005
【図４】
2013248230.tif 000006
【図５】
2013248230.tif 000007
【図６】
2013248230.tif 000008
【図７】
2013248230.tif 000009
【図８】
2013248230.tif 000010
【図９】
2013248230.tif 000011
【図１０】
2013248230.tif 000012